【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
氷を作る製氷機であって、
（i）液体状態と気体状態とを遷移できる冷媒を使用する冷凍システムであって、
（ａ）前記冷媒を加圧する圧縮機、
（ｂ）前記加圧された冷媒を受け取り、前記冷媒をほぼ液体の冷媒に凝縮する凝縮器であって、吐出ラインを介して前記圧縮機と流体連通する前記凝縮器、
（ｃ）前記凝縮器を出る高圧の液体冷媒を低圧の液体冷媒に変える熱膨張素子であって、液体ラインを介して前記凝縮器と流体連通する熱膨張弁、
（ｄ）前記熱膨張弁からの前記低圧の液体冷媒を受け取り、前記圧縮機に接続された吸込ラインを介して低圧の、ほぼ気体の冷媒を吐出する蒸発器、
（ｅ）前記蒸発器に熱的に結合された製氷皿、及び、
（ｆ）採氷サイクル中に開くよう適合され、暖かい冷媒を前記圧縮機から前記蒸発器にホットガスバイパスラインを通して導くホットガス弁、
を含む、前記冷凍システムと、
（ii）冷却サイクル中に前記製氷皿に水を汲み上げる給水ポンプであって、前記水は前記製氷皿に溜まって、凍って氷になる、前記給水ポンプと、
（iii）前記氷の少なくとも一部が前記製氷皿から採取される時を検出する採氷センサと、
（iｖ）前記氷の全てが前記製氷皿から採取されたことを示す温度を測定する温度センサと、
（ｖ）前記氷の少なくとも一部が前記製氷皿から採取されたことを前記採氷センサが示すことと、前記温度センサによって測定された前記温度が前記氷の全てが前記製氷皿から採取されたと示すことに応答して、前記ホットガス弁を制御するように適合されたコントローラと、
を含む、製氷機。
【請求項２】
前記製氷機は、タイマをさらに含み、前記タイマは、前記ホットガス弁が開かれると、開始されるように適合され、前記コントローラは、前記タイマが最大採氷時間になる、または、超えると、前記ホットガス弁を閉じるように適合される、請求項１に記載の製氷機。
【請求項３】
氷を作る製氷機であって、
（i）圧縮機、凝縮器、蒸発器、前記蒸発器に熱的に結合された製氷皿、及び、ホットガス弁を含む冷凍システムであって、前記圧縮機、凝縮器、及び、蒸発器は、１つまたは複数の冷媒ラインによって流体連通し、冷媒が、前記冷媒ラインを通って循環する前記冷凍システム、
（ii）前記製氷皿に水を供給する水システムであって、前記水は、前記製氷皿に溜まって、凍って氷になる、前記水システム、
（iii）前記氷の少なくとも一部が前記製氷皿から採取される時を検出する採氷センサ、
Ａ）    （iｖ）前記氷の全てが前記製氷皿から採取されたことを示す温度を測定する温度センサ、及び、
（ｖ）前記氷の少なくとも一部が前記製氷皿から採取されたことを前記採氷センサが示すことと、前記温度センサによって測定された前記温度が前記氷の全てが前記製氷皿から採取されたことを示すことに応答して、前記ホットガス弁を制御するように適合されたコントローラ、
または、
Ｂ）    （iｖ）前記蒸発器を出る前記冷媒の温度を測定する温度センサ、及び、
（ｖ）前記採氷センサ及び前記温度センサからの入力に基づいて、前記氷の全てが前記製氷皿から採取された時、前記ホットガス弁を閉じるように適合されたコントローラ、
または、
Ｃ）    （iｖ）前記蒸発器を出る前記冷媒の温度を測定する温度センサ、及び、
（ｖ）前記氷の少なくとも一部が前記製氷皿から採取されたことを前記採氷センサが示すことと、前記温度センサによって測定された前記温度が設定温度以上であることに応答して、前記ホットガス弁を閉じるように適合されたコントローラ、
または、
Ｄ）    （iｖ）前記蒸発器を出る前記冷媒の温度を測定する第１の温度センサ、
（ｖ）前記蒸発器に入る前記冷媒の温度を測定する第２の温度センサ、及び、
（ｖi）前記氷の少なくとも一部が前記製氷皿から採取されたことを前記採氷センサが示すことと、前記第１の温度センサによって測定された前記温度が、前記第２の温度センサによって測定された前記温度とほぼ等しいことに応答して、前記ホットガス弁を閉じるように適合されたコントローラ、
または、
Ｅ）    （iｖ）前記製氷皿の温度を測定する温度センサ、及び、
（ｖ）前記氷の少なくとも一部が前記製氷皿から採取されたことを前記採氷センサが示すことと、前記温度センサによって測定された前記温度が設定温度以上であることに応答して、前記ホットガス弁を閉じるように適合されたコントローラ、
を含む、製氷機。
【請求項４】
製氷機からの採氷を制御する方法であって、前記製氷機は、（i）圧縮機、凝縮器、蒸発器、前記蒸発器に熱的に結合された製氷皿、及び、ホットガス弁を含む冷凍システムであって、前記圧縮機、凝縮器、及び、蒸発器は、１つまたは複数の冷媒ラインによって流体連通し、冷媒が、前記冷媒ラインを通って循環する前記冷凍システム、（ii）前記製氷皿に水を供給する水システムであって、前記水は前記製氷皿に溜まって、凍って氷になる前記水システム、（iii）前記氷の少なくとも一部が前記製氷皿から採取される時を検出する採氷センサ、（iｖ）前記氷の全てを前記製氷皿から採取したことを示す温度を測定する温度センサ、及び、（ｖ）前記採氷センサ及び前記温度センサからの入力に基づいて、前記氷の全てが前記製氷皿から採取された時、前記ホットガス弁を閉じるように適合されたコントローラを含み、
（i）前記ホットガス弁を開いて、前記製氷皿からの採氷を開始すること、
（ii）前記コントローラが、前記氷の少なくとも一部が前記製氷皿から採取されたことを示すことを前記採氷センサから受信すること、
（iii）前記コントローラが、前記氷の全てが前記製氷皿から採取された温度測定値を前記温度センサから受信すること、及び、
（iｖ）前記ホットガス弁を閉じて、前記製氷皿からの前記採氷を終了させることと、
を含む、方法。
【請求項５】
前記温度センサは、前記蒸発器を出る前記冷媒の前記温度を測定するように適合された、請求項１に記載の製氷機または請求項４に記載の方法。
【請求項６】
前記コントローラは、前記蒸発器の出口を出る前記冷媒の前記温度が、設定温度以上である時、前記ホットガス弁を閉じるように適合され、
（i）前記設定温度は、前記コントローラに記憶される、または、
（ii）前記設定温度は、約４０度Ｆから約６０度Ｆである、
請求項５に記載の製氷機または方法。
【請求項７】
前記蒸発器に入る前記冷媒の前記温度を測定するように適合された温度センサをさらに含み、前記コントローラは、前記蒸発器の出口を出る前記冷媒の前記温度が、前記蒸発器に入る前記冷媒の前記温度とほぼ等しい時、前記ホットガス弁を閉じるように適合された、請求項１に記載の製氷機または請求項４に記載の方法。
【請求項８】
前記温度センサは、前記製氷皿の前記温度を測定するように適合された、請求項１に記載の製氷機または請求項４に記載の方法。
【請求項９】
前記コントローラは、前記製氷皿の前記温度が設定温度以上の時、前記ホットガス弁を閉じるように適合され、
（i）前記設定温度は、前記コントローラに記憶される、または、
（ii）前記設定温度は、約４０度Ｆから約６０度Ｆである、
請求項１に記載の製氷機または請求項４に記載の方法。
【請求項１０】
前記温度センサは、
（i）熱電対、
（ii）サーミスタ、
（iii）抵抗温度検出器、
（iｖ）パイロメータ、
（ｖ）赤外線温度センサ
のいずれか１つである、請求項１に記載の製氷機または請求項４に記載の方法。
【請求項１１】
前記採氷センサは、
（i）機械式、または、機械式／電気リレー、
（ii）電子リレー、
（iii）光学センサ、
（iｖ）可聴音センサ、
（ｖ）振動センサ、
（ｖi）加速度計センサ、
（ｖii）回転センサ、
（ｖiii）近接センサ、
（iｘ）スルービームセンサシステム、
（ｘ）回帰反射センサシステム、
（ｘi）近接検知または拡散光電子センサシステム、
のいずれか１つを含む、請求項１に記載の製氷機または請求項４に記載の方法。
【請求項１２】
前記製氷機は、タイマをさらに含み、前記方法は、
（i）前記ホットガス弁を開く時、前記タイマを開始すること、
（ii）前記タイマが最大採氷時間になる、または、超えると、前記ホットガス弁を閉じること、
をさらに含む、請求項４に記載の方法。
【請求項１３】
製氷機からの採氷を制御する方法であって、前記製氷機は、（i）圧縮機、凝縮器、蒸発器、前記蒸発器に熱的に結合された製氷皿、及び、ホットガス弁を含む冷凍システムであって、前記圧縮機、凝縮器、及び、蒸発器は、１つまたは複数の冷媒ラインによって流体連通し、冷媒が、前記冷媒ラインを通って循環する前記冷凍システム、（ii）前記製氷皿に水を供給する水システムであって、前記水は前記製氷皿に溜まって、凍って氷になる前記水システム、（iii）前記氷の少なくとも一部が前記製氷皿から採取される時を検出する採氷センサ、（iｖ）前記蒸発器を出る前記冷媒の温度を測定する温度センサ、及び、（ｖ）前記氷の少なくとも一部が、前記製氷皿から採取されたことを前記採氷センサが示すことと、前記温度センサによって測定された前記温度が設定温度以上であることに応答して、前記ホットガス弁を閉じるように適合されたコントローラを含み、
（i）前記ホットガス弁を開いて、前記製氷皿からの採氷を開始すること、
（ii）前記コントローラが、前記氷の少なくとも一部が前記製氷皿から取得されたと示すことを前記採氷センサから受信すること、
（iii）前記コントローラが、前記蒸発器を出る前記冷媒の温度測定値を前記温度センサから受信すること、
（iｖ）前記コントローラが、前記蒸発器を出る前記冷媒の前記温度が設定温度以上か否かを判断すること、及び、
（ｖ）前記蒸発器を出る前記冷媒の前記温度が設定温度以上である時、前記ホットガス弁を閉じて、前記製氷皿からの前記採氷を終了させることと、
を含む、方法。
【請求項１４】
製氷機からの採氷を制御する方法であって、前記製氷機は、（i）圧縮機、凝縮器、蒸発器、前記蒸発器に熱的に結合された製氷皿、及び、ホットガス弁を含む冷凍システムであって、前記圧縮機、凝縮器、及び、蒸発器は、１つまたは複数の冷媒ラインによって流体連通し、冷媒が、前記冷媒ラインを通って循環する、前記冷凍システム、（ii）前記製氷皿に水を供給する水システムであって、前記水は、前記製氷皿に溜まって、凍って氷になる、前記水システム、（iii）前記氷の少なくとも一部が前記製氷皿から採取される時を検出する採氷センサ、（iｖ）前記蒸発器を出る前記冷媒の温度を測定する第１の温度センサ、（ｖ）前記蒸発器を出る前記冷媒の温度を測定する第２の温度センサ、及び、（ｖ）前記氷の少なくとも一部が前記製氷皿から採取されたことを前記採氷センサが示すことと、前記第１の温度センサによって測定された前記温度が前記第２の温度センサによって測定された前記温度とほぼ等しいことに応答して、前記ホットガス弁を閉じるように適合されたコントローラを含み、
（i）前記ホットガス弁を開けて、前記製氷皿からの採氷を開始すること、
（ii）前記コントローラが、前記氷の少なくとも一部が前記製氷皿から採取されたことを示すことを前記採氷センサから受信すること、
（iii）前記コントローラが、蒸発器出口温度測定値であって、前記蒸発器を出る前記冷媒の前記温度である前記蒸発器出口温度測定値を、前記第１の温度センサから受信すること、
（iii）前記コントローラが、蒸発器入口温度測定値であって、前記蒸発器に入る前記冷媒の前記温度である前記蒸発器入口温度測定値を、前記第２の温度センサから受信すること、
（iｖ）前記コントローラが、前記蒸発器出口温度測定値は、前記蒸発器入口温度測定値とほぼ等しいか否かを判断すること、
（ｖ）前記蒸発器出口温度測定値が、前記蒸発器入口温度測定値とほぼ等しい時、前記ホットガス弁を閉じて、前記製氷皿からの前記採氷を終了させることと、
を含む、方法。
【請求項１５】
製氷機からの採氷を制御する方法であって、前記製氷機は、（i）圧縮機、凝縮器、蒸発器、前記蒸発器に熱的に結合された製氷皿、及び、ホットガス弁を含む冷凍システムであって、前記圧縮機、凝縮器、及び、蒸発器は、１つまたは複数の冷媒ラインによって流体連通し、冷媒が、前記冷媒ラインを通って循環する、前記冷凍システム、（ii）前記製氷皿に水を供給する水システムであって、前記水は、前記製氷皿に溜まって、凍って氷になる、前記水システム、（iii）前記氷の少なくとも一部が前記製氷皿から採取される時を検出する採氷センサ、（iｖ）前記製氷皿の温度を測定する温度センサ、及び、（ｖ）前記氷の少なくとも一部が前記製氷皿から採取されたことを前記採氷センサが示すことと、前記温度センサによって測定された前記温度が設定温度以上であることに応答して、前記ホットガス弁を閉じるように適合されたコントローラを含み、
（i）前記ホットガス弁を開けて、前記製氷皿からの採氷を開始すること、
（ii）前記コントローラが、前記氷の少なくとも一部が前記製氷皿から採取されたことを示すことを、前記採氷センサから受信すること、
（iii）前記コントローラが、前記製氷皿の温度測定値を前記温度センサから受信すること、
（iｖ）前記コントローラが、前記製氷皿の前記温度が設定温度以上であるか否かを判断すること、及び、
（ｖ）前記製氷皿の前記温度が設定温度以上である時、前記ホットガス弁を閉じて、前記製氷皿からの前記採氷を終了させることと、
を含む、方法。